(57)【要約】【課題】イコライザ本来の機能を損なうことなく、また部品点数を増加することなく、広い帯域で十分な減衰を実現でき妨害波を十分に減衰させること。【解決手段】このテレビジョンチューナ用イコライザ回路４は、ビデオ信号が入力される入力端４ａと処理後のビデオ信号が出力される出力端４ｂとの間に並列共振回路からなる第１の共振回路１１を設けると共に出力端４ｂとグラウンドとの間に抵抗素子１７を設ける。さらに、出力端４ｂとグラウンドとの間に直列共振回路からなる第２の共振回路１２を設ける。第１及び第２の共振回路１１、１２の共振周波数を上側隣接チャンネルにおける映像周波数に設定する。【選択図】図１
2008131433.tif 000002
【特許請求の範囲】
【請求項１】
ビデオ信号が入力される入力端と、処理後のビデオ信号が出力される出力端と、前記入力端と前記出力端との間に設けられ第１のインダクタンス素子と第１の容量素子とを並列接続してなる並列共振回路と、前記出力端とグラウンドとの間に設けられた抵抗素子と、を具備したことを特徴とするテレビジョンチューナ用イコライザ回路。
【請求項２】
前記並列共振回路の共振周波数を、上側隣接チャンネルの映像周波数に設定したことを特徴とする請求項１記載のテレビジョンチューナ用イコライザ回路。
【請求項３】
第２のインダクタンス素子と第２の容量素子とを直列接続してなる直列共振回路を、前記出力端とグラウンドとの間に設けたことを特徴とする請求項１又は請求項２記載のテレビジョンチューナ用イコライザ回路。
【請求項４】
前記直列共振回路の共振周波数を、上側隣接チャンネルの映像周波数に設定したことを特徴とする請求項３記載のテレビジョンチューナ用イコライザ回路。
【発明の詳細な説明】
【技術分野】
【０００１】
本発明は、複数のチャンネルを受信するテレビジョンチューナ用のイコライザ回路に関する。
【背景技術】
【０００２】
従来、テレビジョンチューナではビデオ信号の出力段にビデオイコライザ回路を設けてビデオ信号の周波数特性を補正する処理を行っている。図４はビデオ信号出力段にビデオイコライザ回路を備えたテレビジョンチューナの構成図である。同図に示すテレビジョンチューナでは、受信されたテレビジョン信号（ＲＦ）は混合回路１０１によって中間周波信号（ＩＦ）に周波数変換され、ＳＡＷフィルタ１０２を介して集積回路１０３内に構成された中間周波増幅回路１０３ａに入力される。ＳＡＷフィルタ１０２は中間周波数帯における映像中間周波数と色副搬送周波数と音声中間周波数とを所定のレベルにするような伝送特性を有している。中間周波増幅回路１０３ａで所定レベルに増幅された中間周波信号は、集積回路１０３内に構成されたビデオ検波回路１０３ｂによって検波されてビデオ信号（Ｖ）に変換され、映像増幅回路１０３ｃで増幅されてからビデオイコライザ回路１０４へ出力される。ビデオイコライザ回路１０４の基本構成はインダクタンス素子１０４ａと容量素子１０４ｂとを有するローパスフィルタであり、インダクタンス素子１０４ａには抵抗１０４ｃが並列接続される。ビデオイコライザ回路１０４にて所望の周波数特性に補正されたビデオ信号はバッファトランジスタ１０５で増幅され、図示しないビデオ回路に供給される。
【０００３】
ところで、現行アナログ放送及びデジタル放送ともにチャンネル帯域幅６ＭＨｚで伝送されている。このため、希望受信チャンネルの上側隣接チャンネル（希望チャンネルの中心周波数を基準として上側に６ＭＨｚ離れたチャンネル）の放送信号がビデオイコライザ回路１０４の前段のチューナ部分で十分にカットされていない場合、上側隣接チャンネルの放送信号が希望受信チャンネルに対する妨害波となる。
【０００４】
そこで、図５に示すように、上側隣接チャンネル（６ＭＨｚ）のところに減衰極を持つ上隣接トラップ回路１０６を設けて、上側隣接チャンネル（６ＭＨｚ）の放送信号を減衰させる構成を採っている。上隣接トラップ回路１０６は、インダクタンス素子１０６ａと容量素子１０６ｂとの直列回路からなるＬＣ直列共振回路で構成される。ブラウン管のテレビジョン装置の場合、希望チャンネルの中心周波数から４．５ＭＨｚ程度までのビデオ信号しか認識していなかったので、さらに上側となる４．５ＭＨｚから上隣接トラップ回路１０６で減衰させた６ＭＨｚまでの帯域（例えば、５ＭＨｚから５．５ＭＨｚ）に妨害波が存在しても映像に悪影響を与えることは無かった。
【特許文献１】特開２００３−３４８４６９号公報
【発明の開示】
【発明が解決しようとする課題】
【０００５】
しかしながら、最近の液晶テレビ又はプラズマテレビは、ビデオ周波数特性を高域まで延ばす傾向にある為、５．５ＭＨｚ付近の映像まで認識して表示する能力を備えて来ている。このため、希望受信チャンネルの中心周波数から上側へ５．５ＭＨｚ付近の減衰量が不十分であると映像品質が劣化することになるが、従来の上隣接トラップ回路１０６では５．５ＭＨｚ付近まで含んだ広い帯域での減衰には限界があり、減衰極を６ＭＨｚに設定した場合には５ＭＨｚから５．５ＭＨｚ付近の減衰が不十分となりノイズが発生する可能性が高くなる問題があった。
【０００６】
なお、上隣接トラップ回路１０６とは別に、希望受信チャンネルから上側へ５．５ＭＨｚ付近の帯域を減衰させる追加トラップ回路を設置することも考えられるが、それでは追加トラップ回路の分だけ部品点数が増加するという問題がある。
【０００７】
本発明は、かかる点に鑑みてなされたものであり、イコライザ本来の機能を損なうことなく、また部品点数を増加することなく、広い帯域で十分な減衰を実現でき妨害波を十分に減衰させることのできるテレビジョンチューナ用イコライザ回路を提供することを目的とする。
【課題を解決するための手段】
【０００８】
本発明のテレビジョンチューナ用イコライザ回路は、ビデオ信号が入力される入力端と、処理後のビデオ信号が出力される出力端と、前記入力端と前記出力端との間に設けられ第１のインダクタンス素子と第１の容量素子とを並列接続してなる並列共振回路と、前記出力端とグラウンドとの間に設けられた抵抗素子とを具備したことを特徴とする。
【０００９】
この構成によれば、第１のインダクタンス素子と第１の容量素子とを並列接続してなる並列共振回路と、出力端とグラウンドとの間に設けられた抵抗素子とでイコライザ回路を構成したので、並列共振回路の周波数特性により直列共振回路に比べて広い帯域での減衰が可能となる一方、並列共振回路を構成する各要素と抵抗素子とでイコライザ回路本来の機能を奏することもできる。したがって、部品点数を増加させることなく、イコライザ回路本来の機能と広い帯域での減衰特性の双方を実現することができる。
【００１０】
上記テレビジョンチューナ用イコライザ回路において、前記並列共振回路の共振周波数を、上側隣接チャンネルの映像周波数に設定することが望ましい。
【００１１】
本発明は、上記テレビジョンチューナ用イコライザ回路において、第２のインダクタンス素子と第２の容量素子とを直列接続してなる直列共振回路を、前記出力端とグラウンドとの間に設けたことを特徴とする。
【００１２】
この構成により、直列共振回路を設けた従来のイコライザ回路と同等の部品点数で、並列共振回路と直列共振回路とのダブルトラップを実現でき、希望受信チャンネルに対する上側隣接チャンネルからの妨害波をより効果的に減衰させることができる。
【００１３】
上記テレビジョンチューナ用イコライザ回路において、前記直列共振回路の共振周波数を、上側隣接チャンネルの映像周波数に設定することが望ましい。
【発明の効果】
【００１４】
本発明によれば、ビデオイコライザ本来の機能を損なわずに、部品点数を増加することなく、広い帯域で十分な減衰を実現でき、上側隣接チャンネルの映像信号による妨害を防止することができる。
【発明を実施するための最良の形態】
【００１５】
以下、本発明の実施の形態について添付図面を参照して詳細に説明する。
図１は本発明の一実施の形態に係るテレビジョンチューナ用イコライザ回路の構成図である。同図に示すように、チューナ部は、受信されたテレビジョン信号（ＲＦ）を中間周波数に周波数変換する混合回路１と、この混合回路１から出力された中間周波信号（ＩＦ）における映像中間周波数と色副搬送周波数と音声中間周波数とを伝送特性にしたがって所定レベルに調整するＳＡＷフィルタ２と、ＳＡＷフィルタ２から出力される中間周波信号を中間周波増幅すると共にビデオ検波してビデオ信号に変換する集積回路３とを備えている。このチューナ部の出力段にビデオイコライザ回路４が接続されている。
【００１６】
ビデオイコライザ回路４は、チューナ部の出力段となる集積回路３の出力端に接続される入力端４ａと、イコライザ回路出力となるビデオ信号を出力する出力端４ｂとを有している。ビデオイコライザ回路４は、第１の共振回路１１と第２の共振回路１２とからなるダブルトラップ回路を備えている。第１の共振回路１１は、第１のインダクタンス素子１３と第１の容量素子１４との並列共振回路で構成されている。第２の共振回路１２は、第２のインダクタンス素子１５と第２の容量素子１６との直列共振回路で構成されている。第１及び第２の共振回路１１，１２の共振周波数は、希望受信チャンネルの上側隣接チャンネルにおける映像周波数（６ＭＨｚ）近傍に設定されている。
【００１７】
第１の共振回路１１では、第１のインダクタンス素子１３と第１の容量素子１４とが並列接続されており、両者の一方の接続点である一端が入力端４ａに接続され、両者の他方の接続点である他端が出力端４ｂに接続されている。第２の共振回路１２では、第２のインダクタンス素子１５と第２の容量素子１６とが直列接続されており、当該直列回路の一端となる第２のインダクタンス素子１５の一端が出力端４ｂに接続され、当該直列回路の他端となる第２の容量素子１６の一端がグラウンドに接続されている。
【００１８】
また、ビデオイコライザ回路４は、第１の共振回路１１の他端が接続される出力端４ｂが抵抗素子１７を介してグラウンドに接続されている。当該抵抗素子１７と第１の共振回路１１の構成要素（第１のインダクタンス素子１３、第１の容量素子１４）とでローパスフィルタを構成している。
【００１９】
このように、本実施の形態では、第１の共振回路１１の構成要素（第１のインダクタンス素子１３、第１の容量素子１４）と抵抗素子１７とで構成するローパスフィルタにより、ビデオイコライザ回路４本来の機能（ローパスフィルタ機能による周波数特性の補正）を実現している。
【００２０】
また、第１の共振回路１１と第２の共振回路１２とを組み合わせたダブルトラップ回路により、従来回路では不十分であった広い帯域での減衰を実現している。すなわち、並列共振回路で構成される第１の共振回路１１の広帯域の減衰特性と、直列共振回路で構成される第２の共振回路１２の狭帯域であるが急峻な減衰特性とを組み合わせることにより、６ＭＨｚ付近に上隣接トラップを形成すると共に、従来回路では減衰量が不十分であった５．５ＭＨｚ付近でも十分な減衰量を確保している。
【００２１】
次に、以上のように構成されたビデオイコライザ回路４の特性について説明する。
図２（ａ）はビデオイコライザ回路４の回路構成に基づいて伝送特性をシミュレーションしたビデオ出力波形図であり、図２（ｂ）は図５に示す従来のビデオイコライザ回路（１０４，１０６）の回路構成に基づいて伝送特性をシミュレーションしたビデオ出力波形図である。両者の伝送特性を比較すると、図中点線で囲んだ５．５ＭＨｚ付近の信号レベルの減衰が本実施の形態のビデオイコライザ回路４の方が１０ｄＢ程度大きいことが確認された。第１の共振回路１１と第２の共振回路１２とを組み合わせたダブルトラップ回路により、広い帯域で妨害波を十分に減衰させることのできる減衰量を確保することができた。しかも、ダブルトラップ回路を構成するに当たり、部品点数の増加は発生していない。
【００２２】
図２（ａ）に示すように、本実施の形態のビデオイコライザ回路４によっても従来のビデオイコライザ回路（１０４，１０６）と同様に６ＭＨｚ付近に上隣接トラップが形成されていることが確認された。しかも、図中点線で囲んだ５．５ＭＨｚ付近の信号減衰を除けば、全体の伝送特性は従来のビデオイコライザ回路（１０４，１０６）と同等のビデオ出力波形となっているので、ビデオイコライザ回路としての機能も損なわれていないことが確認された。
【００２３】
図３は上隣接妨害波（６ＭＨｚ）を入力して周波数特性をシミュレーションしたビデオ出力波形図である。ビデオ出力波形（Ａ）は本実施の形態のビデオイコライザ回路４によるものであり、ビデオ出力波形（Ｂ）は従来のビデオイコライザ回路１０４によるものである。従来のビデオイコライザ回路１０４によるビデオ出力波形（Ｂ）は５ＭＨｚから５．５ＭＨｚ付近に画像品質を劣化させる妨害波（盛り上がり）がでている。一方、本実施の形態のビデオイコライザ回路４によるビデオ出力波形（Ａ）では５ＭＨｚから５．５ＭＨｚ付近の信号レベルが１０ｄＢ（１目盛）以上減衰していることが判る。すなわち、５ＭＨｚから５．５ＭＨｚ付近の妨害波は画像品質を劣化させないレベルまで減衰されていることになる。
【００２４】
このように本実施の形態によれば、ビデオイコライザ回路４を第１のインダクタンス素子１３と第１の容量素子１４とからなる並列共振回路で第１の共振回路１１を構成すると共に、第１の共振回路１１の出力端とグラウンドとの間に抵抗素子１７を設けてローパスフィルタを構成するようにしたので、部品点数を増やすことなくビデオイコライザ回路本来の機能を実現すると共に、５．５ＭＨｚ付近の妨害波を十分に減衰させることができる。
【００２５】
また、ビデオイコライザ回路４を並列共振回路で構成される第１の共振回路１１と直列共振回路で構成される第２の共振回路１２とのダブルトラップ回路としたので、上側隣接チャンネルの映像周波数（６ＭＨｚ）に減衰極を持たせると共に、５．５ＭＨｚ付近でも十分な減衰量を確保することができ、広い帯域で減衰させる特性を実現できる。
【００２６】
以上の説明では、ビデオイコライザ回路４を第１の共振回路１１と第２の共振回路１２とのダブルトラップ回路で構成しているが、ビデオイコライザ回路４へ入力する上側隣接チャンネルの信号レベルによっては第２の共振回路１２が無くても良い。この場合も、第１の共振回路１１と抵抗素子１７との組み合わせだけで、広い帯域で所要の減衰量を確保できると共にビデオイコライザ回路４本来の機能を奏することができる。
【産業上の利用可能性】
【００２７】
本発明は、広い帯域での減衰が要求されるビデオ信号用のイコライザ回路に適用可能である。
【図面の簡単な説明】
【００２８】
【図１】本発明の一実施の形態に係るテレビジョンチューナ用イコライザ回路の構成図
【図２】（ａ）上記実施の形態のテレビジョンチューナ用イコライザ回路による伝送特性図、（ｂ）図５に示すテレビジョンチューナ用イコライザ回路による伝送特性図
【図３】上隣接妨害波を入力して周波数特性をシミュレーションしたビデオ出力波形図
【図４】従来のテレビジョンチューナ用イコライザ回路の構成図
【図５】上隣接トラップ回路を設けた従来のテレビジョンチューナ用イコライザ回路の構成図
【符号の説明】
【００２９】
１…混合回路、２…ＳＡＷフィルタ、３…集積回路、４…ビデオイコライザ回路、４ａ…入力端、４ｂ…出力端、１１…第１の共振回路、１２…第２の共振回路、１３…第１のインダクタンス素子、１４…第１の容量素子、１５…第２のインダクタンス素子、１６…第２の容量素子、１７…抵抗素子
【図１】
2008131433.tif 000003
【図２】
2008131433.tif 000004
【図３】
2008131433.tif 000005
【図４】
2008131433.tif 000006
【図５】
2008131433.tif 000007